(57)【要約】　　　（修正有）【課題】ファンケーシング内で生じた結露水がファンケーシング外に漏洩する恐れを低減する。【解決手段】側面に排気口が形成され、内部にファン１４を有する本体ケース５と、このファン１４を囲繞し、本体ケース５内に吸い込んだ空気を排気口に案内するファンケーシングとを具え、ファンケーシングは、下方を開口する側壁１９と、吸込口２２を有し側壁１９の開口縁に装着される底板２０を具え、底板２０と側壁１９との接合部３６を、ファン１４の下端Ａより下方に位置させる。【効果】ファンケーシング内で結露した結露水が接合部を通過する際にファンから大きな風圧を受けることがなく、結露水が接合部に入り込んでファンケーシング外に漏洩する恐れを低減できる。【選択図】　図２
2004092959.tif 000002
【特許請求の範囲】
【請求項１】
側面に排気口が形成され、内部にファンを有する本体ケースと、該ファンを囲繞し、前記本体ケース内に吸い込んだ空気を前記排気口に案内するファンケーシングとを具え、前記ファンケーシングは、下方を開口する側壁と、吸込口を有し前記側壁の開口縁に装着される底板を具え、前記底板と前記側壁との接合部を、前記ファンの下端より下方に位置させたことを特徴とするダクト用換気扇。
【請求項２】
前記側壁の開口縁には段部が形成され、前記底板には前記段部に嵌合するリブが形成されていることを特徴とする請求項１に記載のダクト用換気扇。
【請求項３】
前記吸込口の周縁を底板の底面より高くしたことを特徴とする請求項１又は請求項２に記載のダクト用換気扇。
【請求項４】
側面に排気口が形成され、内部にファンを有する本体ケースと、該ファンを囲繞し、前記本体ケース内に吸い込んだ空気を前記排気口に案内するファンケーシングとを具え、前記ファンケーシングは、下方を開口する側壁と、吸込口を有し前記側壁の開口縁に装着される底板とを具え、前記底板の外周に立上壁を形成すると共に、前記側壁の開口縁を前記立上壁より内側に位置させ、且つ、その先端を前記ファンの下端より下方に位置させたことを特徴とするダクト用換気扇。
【請求項５】
前記側壁と底板との接合部を凹凸嵌合させたことを特徴とする請求項１乃至請求項４に記載のいずれかに記載のダクト用換気扇。
【請求項６】
前記底板の立上壁において、前記側壁の開口縁の下方に位置する個所を、前記吸込口側に向かって下る傾斜面としたことを特徴とする請求項４又は請求項５に記載のダクト用換気扇。
【請求項７】
前記底板の下面側に当接される爪を前記本体ケースに設けたことを特徴とする請求項１乃至請求項６のいずれかに記載のダクト用換気扇。
【発明の詳細な説明】
【０００１】
【発明の属する技術分野】
本発明は、部屋の空気をダクトを介して屋外に排気するダクト用換気扇に関する。
【０００２】
【従来の技術】
従来、この種のダクト用換気扇として特開平６−２０７７３３号公報（Ｆ２４Ｆ７／１０）に、側面に排気口が形成された本体ケース内に、ファンと、このファンを囲繞するファンケーシングとを設けると共に、排気口が形成された側面にダクトが接続されるダクト接合部を着脱自在に装着し、本体ケース内に吸い込んだ空気をファンケーシングにて排気口へ案内し、ダクト接合部から排気ダクトを介して屋外に排出するものが示されている。
【０００３】
このダクト用換気扇は、本体ケース内にファンケーシングの側壁が設けられる２重構造になっているため、材料が多く必要となり、コスト高となっていた。
【０００４】
この点を解消するものとして、出願人は、既に、本体ケース内にファンを設け、このファンを囲繞するファンケーシングは、ファンの側方を覆う下方を開口した側璧と、底部に吸込口を有し側壁の開口縁に装着される底板とを具え、前記側壁にて本体ケースの外壁の一部を形成するようにしたことで、製品に使用される材料の量を削減し、コストダウンを図ったものを出願している（特願２００２−１３８２１５号）。
【０００５】
このダクト用換気扇を浴室等湿気の多い場所で使用した場合、図８及び図９に示すように、本体ケース５１内に吸い込んだ空気中の湿気がファンケーシング５２内で結露し、ファンケーシング５２の側壁５３等に付着する。側壁５３に付着した結露水は側壁５３を伝わって自重により下方に移動し、側壁５３と底板５４との接合部５５に達する。
【０００６】
この接合部５５はファン５６の下端Ａより上方に位置するため、結露水が接合部５５に達した際に、ファン５６からの大きな風圧を受けて接合部５５に入り込み、ファンケーシング５２外に漏洩する場合が生じる。そして、ファンケーシング５２外に漏洩した結露水が、本体ケース５１の下方に設けられたグリル５７の吸気口５８を介して部屋５９内に落下し、部屋５９内の人に結露水が当たって不快感を与えるという問題が生じる。
【０００７】
この点を解消する方法として側壁と底板との接合面にパッキンを設けることが考えられるが、部品点数が多くなり、コストが高くなるという問題が生じる。
【０００８】
【発明が解決しようとする課題】
本発明は、コストが高くなることがなく、ファンケーシング内で生じた結露水がファンケーシング外に漏洩するのを抑制できるダクト用換気扇を提供することを課題とする。
【０００９】
【課題を解決するための手段】
上記課題を解決するための第１の手段は、側面に排気口が形成され、内部にファンを有する本体ケースと、このファンを囲繞し、前記本体ケース内に吸い込んだ空気を前記排気口に案内するファンケーシングとを具え、前記ファンケーシングは、下方を開口する側壁と、吸込口を有し前記側壁の開口縁に装着される底板を具え、前記底板と前記側壁との接合部を、前記ファンの下端より下方に位置させたものである。
【００１０】
これにより、ファンケーシング内で結露した結露水が接合部を通過する際にファンから大きな風圧を受けることがなく、結露水が接合部に入り込んでファンケーシング外に漏洩するのを抑制できる。
【００１１】
上記構成において、前記側壁の開口縁には段部が形成され、前記底板には前記段部に嵌合するリブが形成されているものである。
【００１２】
これにより、側壁の所定の位置に底板を容易に取り付けることができると共に、ファンケーシング内で生じた結露水が接合部を介してファンケーシング外に漏洩し難くなる。
【００１３】
また、前記吸込口周縁を底板の底面より高くする。
【００１４】
これにより、結露水が吸込口周縁からファンケーシング外に漏洩し難くなる。
【００１５】
上記課題を解決するための第２の手段は、側面に排気口が形成され、内部にファンを有する本体ケースと、このファンを囲繞し、前記本体ケース内に吸い込んだ空気を前記排気口に案内するファンケーシングとを具え、前記ファンケーシングは、下方を開口する側壁と、吸込口を有し前記側壁の開口縁に装着される底板とを具え、前記底板の外周に立上壁を形成すると共に、前記側壁の開口縁を前記立上壁より内側に位置させ、且つ、その先端を前記ファンの下端より下方に位置させたものである。
【００１６】
これにより、ファンケーシング内で結露し、ファンケーシングの側壁に付着した結露水がファンの風圧が小さくなるファンの下端より下方まで側壁と底板との接合部を通ることなく移動できるので、結露水が接合部を介してファンケーシング外に漏洩するのをより効果的に抑制できる。
【００１７】
上記構成において、前記側壁と底板との接合部を凹凸嵌合させる。
【００１８】
これにより、接合部へ結露水が入り込み難くなり、結露水のファンケーシング外への漏洩をより確実に抑制できる。
【００１９】
また、前記底板の立上壁において、前記側壁の開口縁の下方に位置する個所を、前記吸込口側に向かって下る傾斜面とする。
【００２０】
これにより、側壁の開口縁から底板の底面に落下する結露水を接合部と反対側へ移動させることができ、結露水が接合部へより入り込み難くなる。
【００２１】
また、前記底板の下面側に当接される爪を前記本体ケースに設ける。
【００２２】
これにより、底板が変形しても、爪にて底板が側壁側へ押圧され、接合部の隙間を小さくすることができ、結露水が接合部へ入り込み難くなる。
【００２３】
【発明の実施の形態】
本発明の第１の実施の形態のダクト用換気扇を、図１及び図２に基づき説明する。ここでは、以降、上下関係はダクト用換気扇を天井に取り付ける際の状態（図１に示す状態）を基準とし、本体ケース５の開口５ａ側を下とする。
【００２４】
１は天井２に形成された開口穴３から天井裏４に突出して配設されるダクト用換気扇で、下方を開口する箱状に形成された合成樹脂製の本体ケース５と、吸気口６が形成され本体ケース５の開口５ａを着脱自在に覆うグリル７と、排気口８が形成された本体ケース５の側面に着脱自在に設けられたダクト接続板９とで外郭が構成されている。
【００２５】
本体ケース５の開口５ａ端にはフランジ１０が形成されており、ダクト用換気扇１を天井２に取り付ける際に、フランジ１０が天井２の開口穴３周縁の部屋１１側に当接される。
【００２６】
１２は本体ケース内に設けられる送風機で、モータ１３とモータ１３の駆動軸１３ａに取り付けられるファン１４（ここではシロッコファン）とで構成されている。この送風機１２は、駆動軸１３ａを下方に向けた状態でモータ１３を本体ケース５の上部に形成した収納室１５内に挿入し、本体ケース５の天面上面に設けられた取付板１６にネジ１７をねじ込むことで、取り付けられる。
【００２７】
１８はファン１４を囲繞して本体ケース５内に吸い込まれた空気を排気口８へ案内するファンケーシングで、ファン１４の側方を覆う渦巻き状の側壁１９と、この側壁１９の開口縁にネジ（図示せず）にて取り付けられる合成樹脂製の底板２０とを有する。
【００２８】
側壁１９は本体ケース５の外郭の一部を構成するように本体ケース５に一体に形成され、使用される材料が少なくなるようにしている。この側壁１９は、本体ケース５に送風機１２を取り付けた状態でファン１４の下端Ａより下方で開口するように形成されている。また、側壁１９の開口縁には環状の段部２１が形成されている。
【００２９】
前記底板２０の略中央には吸込口２２が形成され、この吸込口２２周縁が底板２０の底面より高くなるように立設部２３が形成されている。また、底板２０の外周側には底面より高くなるように立上壁２４が形成されている。この立上壁２４の外側には、側壁１９の開口端に当接されるフランジ２５が形成され、また、立上壁２４の上端には、側壁１９の段部２１に嵌合する環状の嵌合リブ２６が形成されている。
【００３０】
底板２０の排気口８側にはパッキン２７が貼着されており、このパッキン２７が排気口８の下部周縁に密接して側壁１９の開口縁に装着される。この際、底板２０の排気口８側は排気口８周縁の下部と略同一高さ又は高くなるように取り付けられ、ファンケーシング１８で結露した結露水が排気口８で堰き止められないようにしている。また、底板２０の下面には、グリル７を取り付けるためのグリル取付部２８が吸込口２２を跨ぐように形成されている。
【００３１】
グリル７の裏面の略中央には係止爪２９が形成され、この係止爪２９にグリル取付部２８に係止される線バネ３０が取り付けられている。
【００３２】
３１はモータ１３の保護用ヒューズで、収納室１５に隣接して形成されたヒューズ収納室３２に収納される。
【００３３】
前記ダクト接続板９には、本体ケース５の排気口８を排気ダクト３５に接続するためのダクト接合部３３が形成されており、内部に風圧式のシャッター３４が設けられている。このダクト接合部３３の底面は、排気口８周縁の下部と略同一高さ又は低く形成され、さらに、排気口８から排気ダクト３５側に向かって順次低くなる傾斜面に形成されており、ファンケーシング１８で生じた結露水がダクト接合部３３の排気口８側で堰き止められないようにすると共に、ダクト接合部３３内において排気ダクト３５側へ排水されやすくしている。
【００３４】
上記構成のダクト用換気扇１は、モータ１３を駆動してファン１４を回転させるとグリル７の吸気口６から本体ケース５内に部屋１１内の空気が吸い込まれ、この吸い込まれた空気が底板２０の吸込口２２からファンケーシング１８内に流入する。ファンケーシング１８内に流入した空気の大部分はファンケーシング１８に案内され排気口８に向かい、一部が収納室１５内を通ってモータ１３を冷却して排気口８へ向かう。そして、排気口８からの風圧でシャッター３４が開き、本体ケース５内に吸い込まれた空気はダクト接合部３３内から排気ダクト３５を介して屋外に排気される。
【００３５】
このダクト用換気扇１を浴室等の湿度の高い部屋に取り付けた場合には、本体ケース５内に吸い込まれた空気中の水分がファンケーシング１８で結露し、ファンケーシング１８の側壁１９等に付着する。ファンケーシング１８の側壁１９に付着した結露水はファンケーシング１８の側壁１９を伝わって自重により下方に移動し、側壁１９と底板２０の接合部３６を通過して底板２０の底面に達する。底板２０の底面に達した結露水は排気口８に向かう空気の流れに誘引される等して排気口８からダクト接合部３３に流入する。そして、結露水はダクト接合部３３の底面の傾斜により排気ダクト３５に向かって移動し、排気ダクト３５を介して屋外に排出される。
【００３６】
上述の如く、ファンケーシング１８の側壁１９の開口縁がファン１４の下端Ａより下方になるようにしたことで、側壁１９と底板２０との接合部３６がファン１４の下端Ａより下方に位置するようになり、この接合部３６を結露水が通過する際にはファン１４の送風による風圧が小さくなる。
【００３７】
これにより、結露水が接合部３６に入り込み難くなり、結露水が接合部３６を介してファンケーシング１８外に漏洩して部屋へ落下するのを抑制できる。
【００３８】
また、底板２０の吸込口２２周縁に立設部２３を形成して吸込口２２周縁を底面より高くすることで、結露水が吸込口２２周縁から部屋へ落下し難くなる。
【００３９】
このように、結露水が部屋に落下し難くなることで、部屋にいる人に結露水が当たって不快感を与える恐れが低減され、快適に使用できる。
【００４０】
尚、上記第１の実施の形態では、側壁１９の開口縁に段部２１を形成し、底板２０には、側壁１９の段部２１に嵌合する嵌合リブ２６を形成することで、底板２０が側壁１９の開口縁の所定の位置に容易に装着でき、且つ、結露水が側壁１９と底板２０との接合部３６からより漏洩し難くしているが、必ずしも段部と嵌合リブを形成する必要はない。
【００４１】
次に、本発明の第２の実施の形態を図３に基づいて説明する。尚、第１の実施の形態と同一部品は同一符号を符して説明を省略する。
【００４２】
ファンケーシング１８の側壁１９は、その開口縁において立上壁２４の嵌合リブ２６が嵌合されるように溝状になっていて嵌合リブ２６と凹凸嵌合されている。即ち、側壁１９の下端には、底板２０の立上壁２４の内側に位置し、その先端がファン１４の下端Ａにより下方に位置する。
【００４３】
また、立上壁２４の側壁１９の下端より下方に位置する個所が吸込口２２に向かって下る傾斜面４１に形成されている。
【００４４】
この第２の実施の形態のダクト用換気扇１を浴室等の湿度の高い部屋に取り付けた場合には、第１の実施の形態と同様に本体ケース５内に吸い込まれた空気中の水分がファンケーシング１８で結露し、ファンケーシング１８の側壁１９等に付着する。
【００４５】
ファンケーシング１８の側壁１９に付着した結露水は自重により下方に移動し、側壁１９の下端から落下する。
【００４６】
この落下した結露水は、底板２０の立上壁２４に形成された傾斜面４１により吸込口２２側へ案内され、底板２０の底面に達する。
【００４７】
底板２０の底面に達した結露水は第１の実施の形態と同様に排気口８からダクト接続板９のダクト接合部３３内に流入し、ダクト接合部３３から排気ダクト３５を介して屋外に排出される。
【００４８】
このダクト用換気扇１は、上述の如く、側壁１９の下端を、底板２０の立上壁２４の内側に位置し、ファン１４の下端Ａにより下方に位置させたことで、側壁１９と底板２０との接合部３６を通ることなく側壁１９に付着した結露水がファン１４の風圧が小さくなるファン１４の下端Ａより下方まで移動できる。したがって、結露水が側壁１９と底板２０との接合部３６に入り込み難くなり、接合部３６を介してファンケーシング１８外に漏洩する恐れを低減できる。
【００４９】
そして、底板２０の立上壁２４に吸込口２２に向かって下る傾斜面４１を形成したことで、側壁１９の下端から落下した結露水を接合部３６と反対側である吸込口２２側へ移動させることができる。これにより、結露水が接合部３６に入り込み難くなり、接合部３６を介してファンケーシング１８外に漏洩するのをより効果的に抑制できる。
【００５０】
尚、上記第２の実施の形態に示すように、側壁１９と底板２０との接合部３６を凹凸嵌合させ、結露水が接合部３６へ入り難くし、接合部３６を介してファンケーシング１８外に漏洩するのを効果的に抑制できるようにするのが望ましいが、凹凸嵌合をなくして側壁１９の下端を立上壁２４の外側へ位置させただけでもよい。
【００５１】
また、上記第１の実施の形態及び第２の実施の形態においては底板２０をネジ（図示せず）にて取り付けるのみであったが、図４及び図５に示す第３の実施の形態の如く、側壁１９の開口縁に、底板２０のフランジ２５の下面に当接する爪４３を底板２０を取り付けるネジ４２間の複数箇所に形成するのが望ましい。
【００５２】
底板２０が成型時等において変形すると、第１の実施の形態において図６及び図７に示すように底板２０の取付時に底板２０と側壁１９の開口縁との間に隙間ｄが生じるのに対し、第３の実施の形態では爪４３にて底板２０を側壁１９の開口縁側へ押圧し、接合部３６における隙間を少なくすることができる。これにより、接合部３６に結露水が入り込み難くなり、結露水が接合部３６を介してファンケーシング１８外に漏洩して部屋に落下する恐れを効果的に低減できる。
【００５３】
【発明の効果】
本発明の請求項１によれば、ファンケーシング内で結露した結露水が接合部を通過する際にファンから大きな風圧を受けることがなく、結露水が接合部に入り込んでファンケーシング外に漏洩する恐れを低減できる。
【００５４】
本発明の請求項２によれば、段部にリブを嵌合させることで、側壁の所定の位置に底板を容易に取り付けることができると共に、結露水のファンケーシング外への漏洩を効果的に抑制できる。
【００５５】
本発明の請求項３によれば、底板の吸込口周縁からファンケーシング外への結露水の漏洩を抑制できる。
【００５６】
本発明の請求項４によれば、ファンケーシング内で結露し、ファンケーシングの側壁に付着した結露水がファンの風圧が小さくなるファンの下端より下方まで側壁と底板の接合部を通ることなく移動できるので、接合部を介してファンケーシング外に結露水が漏洩するのを効果的に抑制できる。
【００５７】
本発明の請求項５によれば、結露水が接合部に入り込み難くなり、結露水のファンケーシング外への漏洩をより確実に抑制できる。
【００５８】
本発明の請求項６によれば、側壁の開口縁から底板の底面に落下する結露水を接合部と反対側へ移動させることができ、結露水が接合部へより入り込み難くなる。
【００５９】
本発明の請求項７によれば、底板が変形しても、爪にて底板が側壁側へ押圧され、接合部の隙間を小さくすることができ、結露水が接合部へ入り込み難くなる。
【図面の簡単な説明】
【図１】本発明の第１の実施の形態を示すダクト用換気扇の側面断面図である。
【図２】図１におけるファンケーシングの側壁と底板の接合部近傍における要部拡大図である。
【図３】本発明の第２の実施の形態を示すダクト用換気扇のファンケーシングの側壁と底板の接合部近傍における要部拡大図である。
【図４】本発明の第３の実施の形態におけるダクト用換気扇においてグリルを取り外した状態での底面図である。
【図５】図４におけるＸ−Ｘ断面図である。
【図６】第１の実施の形態においてグリルを取り外し、底板が変形した場合の側面断面図である。
【図７】図７におけるＹ−Ｙ断面図である。
【図８】従来のダクト用換気扇の側面断面図である。
【図９】同ダクト用換気扇の側壁と底板の接合部近傍における要部拡大図である。
【符号の説明】
１　　　　　　ダクト用換気扇
５　　　　　　本体ケース
１４　　　　　　ファン
１８　　　　　　ファンケーシング
１９　　　　　　側壁
２０　　　　　　底板
２１　　　　　　段部
２２　　　　　　吸込口
２４　　　　　　底板の立上壁
２６　　　　　　リブ
３６　　　　　　接合部
４３　　　　　　爪
Ａ　　　　　　ファンの下端
【図１】
2004092959.tif 000003
【図２】
2004092959.tif 000004
【図３】
2004092959.tif 000005
【図４】
2004092959.tif 000006
【図５】
2004092959.tif 000007
【図６】
2004092959.tif 000008
【図７】
2004092959.tif 000009
【図８】
2004092959.tif 000010
【図９】
2004092959.tif 000011